(57)【要約】【課題】アナログ放送波の有無を従来よりも短時間で検出することができる、放送波検出装置を提供すること。【解決手段】アナログ放送波を検出する放送波検出装置１０であって、検出対象のチャンネルに含まれる複数のセグメントの内、所定の一部の複数のセグメントの各々のレベルを検出するレベル検出部１２と、このレベル検出部１２にて検出された一部の複数のセグメントの各々のレベルと、これらレベルの相互の差異に基づいて、検出対象のチャンネルにおけるアナログ放送波の有無を判定する判定部１４とを備える。【選択図】図２
2012124846.tif 000002
【特許請求の範囲】
【請求項１】
アナログ放送波を検出する放送波検出装置であって、
検出対象のチャンネルに含まれる複数のセグメントの内、所定の一部の複数のセグメントの各々のレベルを検出するレベル検出手段と、
前記レベル検出手段にて検出された前記一部の複数のセグメントの各々のレベルと、これらレベルの相互の差異に基づいて、前記検出対象のチャンネルにおけるアナログ放送波の有無を判定する判定手段と、
を備える放送波検出装置。
【請求項２】
前記レベル検出手段は、前記検出対象のチャンネルに含まれる複数のセグメントの内、ワンセグ放送用の所定のセグメントのレベルと、アナログ放送の搬送波に対応するセグメントのレベルを検出し、
前記判定手段は、前記レベル検出手段にて検出された前記ワンセグ放送用の所定のセグメントのレベルと、前記レベル検出手段にて検出された前記アナログ放送の搬送波に対応するセグメントのレベルとの中で、少なくとも一つが所定レベル以上であり、かつ、これらの相互の差異が所定範囲内にある場合には、前記検出対象のチャンネルにデジタル放送波のみがあると判定する、
請求項１に記載の放送波検出装置。
【請求項３】
前記レベル検出手段は、前記検出対象のチャンネルに含まれる複数のセグメントの内、ワンセグ放送用の所定のセグメントのレベルと、アナログ放送の搬送波に対応するセグメントのレベルを検出し、
前記判定手段は、前記レベル検出手段にて検出された前記ワンセグ放送用の所定のセグメントのレベルと、前記レベル検出手段にて検出された前記アナログ放送の搬送波に対応するセグメントのレベルとの中で、少なくとも一つが所定レベル以上であり、かつ、これらの相互の差異が所定範囲内にない場合には、前記検出対象のチャンネルに少なくともアナログ放送波又はアナログ妨害波があると判定する、
請求項１又は２に記載の放送波検出装置。
【請求項４】
前記判定手段は、
前記レベル検出手段にて検出された前記ワンセグ放送用の所定のセグメントのレベルが所定レベル以上である場合には、前記検出対象のチャンネルにデジタル放送波とアナログ妨害波があると判定し、
前記レベル検出手段にて検出された前記ワンセグ放送用の所定のセグメントのレベルが所定レベル以上でない場合には、前記検出対象のチャンネルにアナログ放送波があると判定する、
請求項３に記載の放送波検出装置。
【請求項５】
前記検出対象のチャンネルに含まれるセグメントを復調する復調手段を備え、
前記判定手段は、
前記検出対象のチャンネルにデジタル放送波があると判定した場合には、前記ワンセグ放送用の所定のセグメントに対する前記復調手段による復調結果に基づいて、前記検出対象のチャンネルのチャンネル番号を特定する、
請求項２又は４に記載の放送波検出装置。
【請求項６】
前記アナログ放送の搬送波に対応するセグメントは、アナログ放送の映像搬送波に対応するセグメントと、アナログ放送の音声搬送波に対応するセグメントの中の、少なくとも一方のセグメントである、
請求項１から５のいずれか一項に記載の放送波検出装置。
【発明の詳細な説明】
【技術分野】
【０００１】
本発明は、アナログ放送波を検出する放送波検出装置に関する。
【背景技術】
【０００２】
２０１１年にアナログテレビ放送（以下、アナログ放送）を終了して地上波デジタルテレビ放送（以下、デジタル放送）に移行することが予定されている。このデジタル放送を行う際には、放送を行うチャンネルを決定するために、現在放送が行われているチャンネルを検出し、当該チャンネル以外の空きチャンネルを特定する必要がある。このように空きチャンネルを特定するための方法としては、従来、各チャンネルの電界強度を測定し、電界強度が所定強度以上である場合には、当該チャンネルで放送が行われているものと判定する方法がある。
【０００３】
しかしながら、デジタル放送への移行が完全に完了していない現状下においては、アナログ放送とデジタル放送とが混在しており、上述のように電界強度を用いた方法を適用しても、アナログ放送の信号をデジタル放送の信号であると誤って検出してしまい、実際には空いているチャンネルであってもデジタル放送を行うことができない可能性がある。
【０００４】
このような問題を解決するため、電界強度に加えて、各チャンネルのシンボルを検出し、このシンボルに基づいて、現在放送が行われているチャンネルの有無やその種別を判定することも提案されている（例えば、特許文献１参照）。この方法では、各チャンネルの電界強度を順次測定し、電界強度が所定強度以上であるチャンネルに対しては放送波を復調してシンボルを検出し、シンボルが検出された場合には当該チャンネルにおいてデジタル放送が行われており、シンボルが検出されなかった場合には当該チャンネルにおいてアナログ放送が行われていると判定していた。
【０００５】
また、放送信号を複数の周波数帯に分割し、分割された放送信号のそれぞれについて信号強度を測定し、この信号強度に基づいて、放送の有無や種類を判定することも提案されている（例えば、特許文献２参照）。
【先行技術文献】
【特許文献】
【０００６】
【特許文献１】特開平０９−２３２９８４号公報
【特許文献２】特開２００６−３５２４８８号公報
【発明の概要】
【発明が解決しようとする課題】
【０００７】
しかしながら、上記従来のようにシンボルに基づいてチャンネルの有無や種別を判定する場合には、電界強度の測定を行った上で、さらに放送波を復調する必要があるために、判定に時間を要するという問題があった。
【０００８】
また、上記従来のように複数の周波数帯により分割された放送信号の信号強度に基づいて放送の有無や種類を判定する場合には、放送信号に含まれるデジタル放送波のレベルが局所的に低下した場合に、正確な判定を行なうことができない可能性があった。すなわち、周波数が近接している複数の信号に関しては、位相遅れが生じた信号と他の信号の重複部分のレベルが相殺されて低下する場合がある。従って、複数の周波数帯により放送信号を分割した場合、周波数帯の区分によっては、このようなレベルの低下部分を含む放送信号と、このようなレベルの低下部分を含まない放送信号とに分割される可能性がある。
しかし、レベルの低下部分を含んだ放送信号の信号強度の平均値は、レベルの低下部分を含まない放送信号の信号強度の平均値より低くなってしまうため、この結果、実際には放送波がある場合でも、放送波がないと判定してしまう等、正確な判定を行なうことができない可能性があった。
【０００９】
本発明は、上記に鑑みてなされたものであって、アナログ放送波の有無を従来よりも短時間で正確に検出することができる、放送波検出装置を提供することを目的とする。
【課題を解決するための手段】
【００１０】
上述した課題を解決し、目的を達成するために、請求項１に記載の放送波検出装置は、アナログ放送波を検出する放送波検出装置であって、検出対象のチャンネルに含まれる複数のセグメントの内、所定の一部の複数のセグメントの各々のレベルを検出するレベル検出手段と、前記レベル検出手段にて検出された前記一部の複数のセグメントの各々のレベルと、これらレベルの相互の差異に基づいて、前記検出対象のチャンネルにおけるアナログ放送波の有無を判定する判定手段とを備える。
【００１１】
また、請求項２に記載の放送波検出装置は、請求項１に記載の放送波検出装置において、前記レベル検出手段は、前記検出対象のチャンネルに含まれる複数のセグメントの内、ワンセグ放送用の所定のセグメントのレベルと、アナログ放送の搬送波に対応するセグメントのレベルを検出し、前記判定手段は、前記レベル検出手段にて検出された前記ワンセグ放送用の所定のセグメントのレベルと、前記レベル検出手段にて検出された前記アナログ放送の搬送波に対応するセグメントのレベルとの中で、少なくとも一つが所定レベル以上であり、かつ、これらの相互の差異が所定範囲内にある場合には、前記検出対象のチャンネルにデジタル放送波のみがあると判定する。
【００１２】
また、請求項３に記載の放送波検出装置は、請求項１又は２に記載の放送波検出装置において、前記レベル検出手段は、前記検出対象のチャンネルに含まれる複数のセグメントの内、ワンセグ放送用の所定のセグメントのレベルと、アナログ放送の搬送波に対応するセグメントのレベルを検出し、前記判定手段は、前記レベル検出手段にて検出された前記ワンセグ放送用の所定のセグメントのレベルと、前記レベル検出手段にて検出された前記アナログ放送の搬送波に対応するセグメントのレベルとの中で、少なくとも一つが所定レベル以上であり、かつ、これらの相互の差異が所定範囲内にない場合には、前記検出対象のチャンネルに少なくともアナログ放送波又はアナログ妨害波があると判定する。
【００１３】
また、請求項４に記載の放送波検出装置は、請求項３に記載の放送波検出装置において、前記判定手段は、前記レベル検出手段にて検出された前記ワンセグ放送用の所定のセグメントのレベルが所定レベル以上である場合には、前記検出対象のチャンネルにデジタル放送波とアナログ妨害波があると判定し、前記レベル検出手段にて検出された前記ワンセグ放送用の所定のセグメントのレベルが所定レベル以上でない場合には、前記検出対象のチャンネルにアナログ放送波があると判定する。
【００１４】
また、請求項５に記載の放送波検出装置は、請求項２又は４に記載の放送波検出装置において、前記検出対象のチャンネルに含まれるセグメントを復調する復調手段を備え、前記判定手段は、前記検出対象のチャンネルにデジタル放送波があると判定した場合には、前記ワンセグ放送用の所定のセグメントに対する前記復調手段による復調結果に基づいて、前記検出対象のチャンネルのチャンネル番号を特定する。
【００１５】
また、請求項６に記載の放送波検出装置は、請求項１から５のいずれか一項に記載の放送波検出装置において、前記アナログ放送の搬送波に対応するセグメントは、アナログ放送の映像搬送波に対応するセグメントと、アナログ放送の音声搬送波に対応するセグメントの中の、少なくとも一方のセグメントである。
【発明の効果】
【００１６】
請求項１に記載の放送波検出装置によれば、一部の複数のセグメントの各々のレベルと、これらレベルの相互の差異に基づいて、検出対象のチャンネルにおけるアナログ放送波の有無を判定するので、レベルのみに基づいてアナログ放送波の有無が判定でき、復調やシンボル検出を行うことが必須ではなくなるので、アナログ放送波の有無を従来よりも短時間で検出することが可能になる。特に、複数の周波数帯により放送信号を分割した場合には、レベルの低下部分を含む放送信号と、このようなレベルの低下部分を含まない放送信号とに分割される可能性があるのに対して、セグメント毎のレベルに基づいて判定を行なうことで、レベルの低下部分を各放送信号から排除することができ、あるいはレベルの低下部分を各放送信号に均等に含めることができるので、一層正確な判定を行なうことが可能になる。
【００１７】
また、請求項２に記載の放送波検出装置によれば、ワンセグ放送用の所定のセグメントのレベルと、アナログ放送の搬送波に対応するセグメントのレベルとの中で、少なくとも一つが所定レベル以上であり、かつ、これらの相互の差異が所定範囲内にある場合には、検出対象のチャンネルにデジタル放送波のみがあるものと判定するので、復調を行なうことなく、アナログ放送波の有無を迅速に判定することが可能になる。
【００１８】
また、請求項３に記載の放送波検出装置によれば、ワンセグ放送用の所定のセグメントのレベルと、アナログ放送の搬送波に対応するセグメントのレベルとの中で、少なくとも一つが所定レベル以上であり、かつ、これらの相互の差異が所定範囲内にない場合には、検出対象のチャンネルに少なくともアナログ放送波又はアナログ妨害波があると判定するので、復調を行なうことなく、アナログ放送波又はアナログ妨害波の有無を迅速に判定することが可能になる。
【００１９】
また、請求項４に記載の放送波検出装置によれば、ワンセグ放送用の所定のセグメントのレベルが所定範囲以上である場合には、検出対象のチャンネルにデジタル放送波とアナログ妨害波があると判定し、ワンセグ放送用の所定のセグメントのレベルが所定範囲以上でない場合には、検出対象のチャンネルにアナログ放送波があると判定するので、復調を行なうことなく、デジタル放送波及びアナログ妨害波が存在する場合とアナログ放送波が存在する場合とを迅速に区別することが可能になる。
【００２０】
また、請求項５に記載の放送波検出装置によれば、検出対象のチャンネルにデジタル放送波があると判定した場合には、ワンセグ放送用の所定のセグメントに対する復調結果に基づいて、検出対象のチャンネルのチャンネル番号を特定するので、復調結果に基づいてさらに詳細な判定を行うことができる。
【００２１】
また、請求項６に記載の放送波検出装置によれば、アナログ放送の搬送波に対応するセグメントは、アナログ放送の映像搬送波に対応するセグメントと、アナログ放送の音声搬送波に対応するセグメントの中の、少なくとも一方のセグメントであり、このようなセグメントのレベルに基づいてアナログ放送波の有無を判定することで、アナログ放送波の有無を従来よりも短時間で検出することが可能になる。
【図面の簡単な説明】
【００２２】
【図１】本発明の実施の形態に係る放送波送信システムの構成を機能概念的に示すブロック図である。
【図２】図１の放送波検出装置の構成を機能概念的に示すブロック図である。
【図３】図２の放送波検出装置の要部の構成を機能概念的に示すブロック図である。
【図４】図１の放送波送信装置の構成を機能概念的に示すブロック図である。
【図５】放送波検出処理のフローチャートである。
【図６】１つのチャンネルに含まれるセグメントを概念的に示す図である。
【発明を実施するための形態】
【００２３】
以下に添付図面を参照して、この発明に係る放送波検出装置の一実施の形態を詳細に説明する。まず、〔I〕本実施の形態の基本的概念を説明した後、〔II〕本実施の形態の具体的内容について説明し、〔III〕最後に、本実施の形態に対する変形例について説明する。ただし、本実施の形態によって本発明が限定されるものではない。
【００２４】
〔I〕本実施の形態の基本的概念
まず、本実施の形態の基本的概念について説明する。本実施の形態に係る放送波検出装置は、アナログ放送波を検出する装置である。ここで、放送波とは、任意の方式及び内容の放送波を含み、例えば、テレビ放送波やラジオ放送波を含むが、以下では、テレビ放送波を対象とした場合について説明する。アナログ放送波を検出するとは、アナログ放送波の有無を判定することであるが、アナログ放送波がある場合とは、アナログ放送波が所定の基準レベル以上の電界強度で存在しているか否かを意味し、この基準レベルとしては、ゼロレベル以外にも、任意のレベルを設定することができる。
【００２５】
この放送波検出装置は、単独で使用され、又は、他の装置やシステムの内部に組み込まれて使用されるものであり、例えば、他のシステムの内部に組み込まれる場合としては、放送波送信システムの内部に組み込まれる場合を挙げることができる。放送波送信システムとは、アナログ放送波の検出を行い、当該アナログ放送波がないチャンネル（以下、空きチャンネル）に対してデジタル放送波を送信するシステムである。以下では、このような放送波送信システムの内部に放送波検出装置を組み込んだ例について説明する。
【００２６】
このような放送波検出装置の特徴の一つは、検出対象のチャンネルに含まれる複数のセグメントの内、所定の一部の複数のセグメントの各々のレベルを検出するレベル検出手段と、前記レベル検出手段にて検出された前記一部の複数のセグメントの各々のレベルと、これらレベルの相互の差異に基づいて、前記検出対象のチャンネルにおけるアナログ放送波の有無を判定する判定手段とを備える点にある。すなわち、概略的には、検出対象のチャンネルに含まれる一部のセグメントのレベルを検出し、その相対的な関係に基づいて、アナログ放送波の有無を判定するものであり、各チャンネルの復調を行うことなくその判定を行うことができるために、従来よりも判定を迅速かつ正確に行うことが可能になる。
【００２７】
〔II〕本実施の形態の具体的内容
次に、本実施の形態の具体的内容について説明する。最初に、本実施の形態に係る放送波検出装置を適用した放送波送信システムの構成を説明し、次いで、この放送波送信システムを用いて行われる各種の処理について説明する。
【００２８】
（構成）
図１は、本実施の形態に係る放送波送信システムの構成を機能概念的に示すブロック図である。この放送波送信システム１は、概略的に、受信アンテナ２、放送波検出装置１０、放送波送信装置（放送制御装置）２０、及び送信アンテナ３を備えて構成されている。
【００２９】
受信アンテナ２は、放送波を受信して放送信号として放送波検出装置１０に出力する受信手段である。放送波検出装置１０は、受信アンテナ２から出力された放送信号を用いて、アナログ放送波を検出する装置である。放送波送信装置２０は、放送波検出装置１０にて検出された放送波の有無又は種類に基づいて、空きチャンネルに対するデジタル放送波を生成して送信アンテナ３に出力する放送手段である。送信アンテナ３は、放送波送信装置２０から出力された放送信号を放送波として送信する送信手段である。なお、これら受信アンテナ２及び送信アンテナ３については、従来と同様に構成できるので、その詳細は省略する。また、放送波送信装置２０についても、従来と同様に構成できるため、以下では、その要部のみを説明する。
【００３０】
（構成−放送波検出装置）
次に、放送波検出装置１０の構成について説明する。図２は、図１の放送波検出装置１０の構成を機能概念的に示すブロック図である。この放送波検出装置１０は、周波数選択部１１、レベル検出部１２、復調部１３、判定部１４、表示部１５、及び制御部１６を備えて構成されている。
【００３１】
周波数選択部１１は、受信アンテナ２から出力された放送信号の中から、所望の周波数の放送信号を抽出してレベル検出部１２に出力する周波数選択手段である。レベル検出部１２は、周波数選択部１１にて抽出された所望の周波数の放送信号のレベルを検出するレベル検出手段である。復調部１３は、周波数選択部１１にて抽出されレベル検出部１２にてレベル検出が行われた所望の周波数の放送信号を復調する復調手段である。判定部１４は、レベル検出部１２にて検出された放送信号のレベルと、復調部１３にて復調された放送信号とに基づいて、受信アンテナ２にて受信されたアナログ放送波の有無を判定する判定手段である。表示部１５は、検出された放送波に関する情報を表示する表示手段であり、ここでは、液晶ディスプレイを含んで構成されている。制御部１６は、放送波検出装置１０の各部を制御する制御手段であり、例えば、ＣＰＵ（Ｃｅｎｔｒａｌ  Ｐｒｏｃｅｓｓｉｎｇ  Ｕｎｉｔ）を含んで構成され、任意の記憶媒体やネットワークを介してインストールされた放送波検出プログラムを解釈及び実行する。
【００３２】
図３は、図２の放送波検出装置の要部の構成を機能概念的に示すブロック図である。この図３には、図２の放送波検出装置の各部の中の一部のみを示しており、実際にはこの他にも、上記説明した機能を奏するための構成を含み得る。この図３に示すように、周波数選択部１１は、ミキサー１１ａ、発振器１１ｂ、及び１セグＳａｗフィルタ１１ｃを備えており、制御部１６から制御された周波数にて発振器１１ｂを発振させ、発振器１１ｂの出力をミキサー１１ａに入力することで、所望のセグメントの放送信号が抽出される。このように抽出された放送信号は、１セグＳａｗフィルタ１１ｃでノイズ成分が除去された上で、レベル検出部１２に出力される。
【００３３】
レベル検出部１２は、ＡＧＣ１２ａとＡＧＣ検知部１２ｂを備えて構成されており、周波数選択部１１から出力された所望のセグメントの放送信号の利得調整をＡＧＣ１２ａにて行い、ＡＧＣ検知部１２ｂにてこの放送信号のレベルを検知する。
【００３４】
判定部１４は、保持メモリ１４ａとパターン比較器１４ｂを備えて構成されており、ＡＧＣ検知部１２ｂにて検知されたレベルが保持メモリ１４ａに一時的に記憶され、当該記憶されたレベルを複数のセグメントの相互間や所定値とパターン比較器１４ｂによって比較等することで、アナログ放送波の有無が判定される。
【００３５】
（構成−放送波送信装置）
次に、図１の放送波送信装置２０の構成について説明する。図４は、図１の放送波送信装置２０の構成を機能概念的に示すブロック図である。この放送波送信装置２０は、入力部２１、放送信号生成部２２、増幅部２３、変調部２４、及び制御部２５を備えて構成されている。入力部２１は、放送用データの入力や、放送の開始又は終了の指示を受け付ける入力手段であり、放送用データとしては、図示しない映像機器からの映像信号や図示しない音声機器からの音声信号の入力を受け付ける。放送信号生成部２２は、入力部２１にて受け付けられた映像信号や音声信号を合成等することにより、放送信号を生成する放送信号生成手段である。増幅部２３は、放送信号生成部２２にて生成された放送信号を所定レベルに増幅する増幅手段である。変調部２４は、増幅部２３にて増幅された放送信号を所定の変調方式（例えば、６４ＱＡＭ（Ｑｕａｄｒａｔｕｒｅ  ａｍｐｌｉｔｕｄｅ  ｍｏｄｕｒａｔｉｏｎ））により変調する変調手段であり、放送波検出装置１０にて検出された空きチャンネルの周波数により変調を行う。制御部２５は、放送波送信装置２０の各部を制御する制御手段であり、例えば、ＣＰＵを含んで構成され、任意の記憶媒体やネットワークを介してインストールされた放送波検出プログラムを解釈及び実行する。
【００３６】
（処理）
次に、この放送波送信システム１において行われる放送処理について説明する。この放送処理は、アナログ放送波を検出するため、主として放送波検出装置１０により行われる放送波検出処理と、放送波を送信するため、主として放送波送信装置２０により行われる放送波送信処理に大別されるため、以下、これら各処理を順次説明する。
【００３７】
（処理−放送波検出処理）
最初に、放送波検出処理について説明する。図５は、放送波検出処理のフローチャートである。この放送波検出処理は、放送波送信システム１の各装置への電源投入後に繰り返し実行される。なお、以下では、ステップを「Ｓ」と略記し、特記する場合を除き、放送波検出処理の各ステップは、放送波検出装置１０の制御部１６にて実行されるものとする。
【００３８】
まず、受信アンテナ２にて放送波が受信されて放送信号として放送波検出装置１０に出力される。この放送波検出装置１０において、制御部１６は、放送波の検出対象となるチャンネルの周波数を決定し、この決定に基づいて周波数選択部１１に制御信号を出力することで、検出対象となるチャンネルの放送信号を周波数選択部１１に抽出させる（ＳＡ１）。
【００３９】
この放送信号の抽出は、チャンネルスキャンとセグメントスキャンを組合せて行われる。チャンネルスキャンとは、チャンネル単位で周波数を切り替えて放送信号を抽出することを意味し、ここでは、デジタル放送の周波数帯である４７０ＭＨｚから７７０ＭＨｚの間で６ＭＨｚ毎に区分されたチャンネルの中で、最初の周波数帯（４７０〜４７６ＭＨｚ）が最初に抽出され、判定部１４による判定が終了すると次の周波数帯（４７６〜４８２ＭＨｚ）が次に抽出され、以降同様に、判定部１４による判定が終了する毎に次のチャンネルが順次抽出されることで、各チャンネルがスキャンされる。
【００４０】
また、セグメントスキャンとは、各チャンネルの中のセグメント単位で周波数を切り替えて放送信号を抽出することを意味し、ここでは、チャンネルスキャンによりスキャンされているチャンネルに含まれる１４セグメントの内、ガードバンドを除いた１３セグメントを対象として、所定のセグメント番号の一部のセグメントを所定順序でスキャンする。ここでは、セグメント番号とは、地上デジタルテレビジョン放送の伝送方式の標準規格であるＡＲＩＢ  ＳＴＤ−Ｂ３１にて規定されているセグメント番号であり、図６に示すように、１３セグメントの中で、中央のセグメントを０番とし、左右に離れるに連れて交互に１つずつ増加する番号である。このセグメントスキャンでは、最初にワンセグ放送用のセグメント（具体的には、０番のセグメント）を抽出し、次いでアナログ放送の搬送波に対応するセグメント（具体的には、アナログ放送の映像搬送波に対応する７番のセグメントと、アナログ放送の音声搬送波に対応する１２番のセグメント）を抽出する。最初にワンセグ放送用のセグメントを抽出するのは、このセグメントのレベルが所定レベル以上である場合には、デジタル放送が行われているものと判定でき、特に、１３セグメントの中でも、ＨＤＴＶ放送用の１２セグメントに比べて、高感度で判定を行うことが可能なためである。また、アナログ放送用のセグメントを抽出するのは、このセグメントのレベルが所定レベル以上である場合には、アナログ放送が行われているか、あるいは、デジタル放送にアナログ妨害波が混在しているものと判定できるからである。
【００４１】
次いで、レベル検出部１２は、上述のチャンネルスキャンによりスキャンされているチャンネルに含まれる１４セグメントの内、セグメントスキャンによりスキャンされたセグメントのレベルを検出する。具体的には、０番のセグメントのレベル（以下、０番レベル）、７番のセグメントのレベル（以下、７番レベル）、及び１２番のセグメントのレベル（以下、１２番レベル）を順次検出する（ＳＡ２）。そして、このように検出したセグメントのレベルを判定部１４に出力する。
【００４２】
そして、判定部１４は、レベル検出部１２から出力されたレベルに基づいて、放送波の有無又は種類を判定する。具体的には、判定部１４は、０番レベルと、７番レベルと、１２番レベルとについて、この中の少なくとも一つのレベルが、所定レベル以上であるか否かを判定する（ＳＡ３）。この所定レベルとしては、放送波又は妨害波として認識すべき程度の最低限のレベルが設定される。そして、一つのレベルも所定範囲以上でない場合には（ＳＡ３、Ｎｏ）、周波数選択部１１のチャンネルスキャンにてスキャンされているチャンネル（以下、検出対象チャンネル）において、デジタル放送波もアナログ放送波もないと判定して、後述するＳＡ１０に移行する（ＳＡ４）。一方、少なくとも一つのレベルが、所定レベル以上である場合には、ＳＡ５に移行する。
【００４３】
ＳＡ５において、判定部１４は、０番レベルと、７番レベルと、１２番レベルとについて、これらの相互の差異が所定範囲内にあるか否かを判定する（ＳＡ５）。そして、これらの相互の差異が所定範囲内にある場合には（ＳＡ５、Ｙｅｓ）、検出対象チャンネルにおいて、デジタル放送波のみがあるものと判定する（ＳＡ６）。このように判定する理由は、アナログ放送波がある場合には、映像搬送波に対応する７番レベル及び音声搬送波に対応する１２番レベルが、ワンセグ信号がある０番レベルに対して大きくなるのに対して、デジタル放送波がある場合には、７番レベル及び１２番レベルが、ワンセグ信号がある０番レベルとほぼ同じ大きさになると想定できるためである。このような判定を行った場合、後述するＳＡ１０に移行して、デジタル放送波の詳細を特定する。
【００４４】
一方、これらの相互の差異が所定範囲内にない場合（ＳＡ５、Ｎｏ）、判定部１４は、０番レベルが所定レベル以上であるか否かを判定する（ＳＡ７）。この所定レベルとしては、ワンセグ放送波があると認識すべき程度の最低限のレベルが設定される。そして、０番レベルが所定レベル以上でない場合には（ＳＡ７、Ｎｏ）、検出対象チャンネルにおいて、アナログ放送波のみがあるものと判定する（ＳＡ８）。
【００４５】
逆に、０番レベルが所定レベル以上である場合には（ＳＡ７、Ｙｅｓ）、検出対象チャンネルにおいて、デジタル放送が行われているもののアナログ妨害波があるものと判定する（ＳＡ９）。この場合、判定部１４は、後述するＳＡ１０に移行して、デジタル放送波の詳細を特定する。
【００４６】
ＳＡ１０では、復調部１３は、検出対象チャンネルの０番のセグメントを復調し、復調された放送信号を判定部１４に出力する（ＳＡ１０）。その後、判定部１４は、０番のセグメントに対する復調部１３による復調結果に基づいて、検出対象のチャンネルのチャンネル番号を特定する（ＳＡ１１）。具体的には、復調部１３にて復調された０番のセグメントの放送信号から、当該放送信号に多重化されたＩＤ（例えば、ＮＩＴ（Ｎｅｔｗｏｒｋ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＥＩＴ（Ｅｖｅｎｔ  Ｉｎｆｏｒｍａｔｉｏｎ  Ｔａｂｌｅ）、あるいはＣＤＴ（Ｃｏｍｍｏｎ  Ｄａｔａ  Ｔａｂｌｅ））を取得し、当該取得したＩＤに基づいて公知の方法でチャンネル番号を特定する。そして、判定部１４は、このように特定した結果を制御部１６に出力する。ただし、チャンネル番号の特定が不要である場合には、ＳＡ１０及びＳＡ１１を省略してもよい。
【００４７】
制御部１６は、この判定結果を表示部１５に表示させる（ＳＡ１２）。例えば、検出対象のチャンネルの周波数、放送波の有無及び種類（デジタル放送波又はアナログ放送波のいずれが存在するか、及び妨害波としてのアナログ放送波の有無）、及び各放送波のレベルを文字及び数値にて表示させる。
【００４８】
次いで、制御部１６は、デジタルチャンネルの全てのチャンネルの検出が終了したか否かを判定し（ＳＡ１３）、終了していない場合には（ＳＡ１３、Ｎｏ）、次のチャンネルを検出対象チャンネルに変更すべく、放送波の検出対象となるチャンネルの周波数を決定し、ＳＡ１において、この周波数に基づいて周波数選択部１１に制御信号を出力することで、検出対象となるチャンネルの放送信号を周波数選択部１１に抽出させる。以降、全てのチャンネルが検出対象チャンネルとして抽出されるまで、検出対象チャンネルを変更し、当該変更を行う毎に、検出対象チャンネルに対する０番レベル、７番レベル、及び１２番レベルに基づいた放送波の有無及び種別の判定や、判定結果の表示が行われる。そして、デジタルチャンネルの全てのチャンネルの検出が終了した場合（ＳＡ１３、Ｙｅｓ）、制御部１６は、各チャンネルに対する判定結果を放送波送信装置２０に出力して（ＳＡ１４）、放送波検出処理を終了する。
【００４９】
（処理−放送波送信処理）
次に、放送波送信処理について説明する。この放送波送信処理は、放送波送信システム１の各装置への電源投入後に繰り返し実行される。なお、特記する場合を除き、放送波送信処理の各ステップは、放送波送信装置２０の制御部２５にて実行されるものとする。
【００５０】
この処理では、入力部２１が放送の開始指示を受け付けた場合、放送信号生成部２２は、入力部２１に入力された映像信号や音声信号を合成等することにより放送信号を生成し、増幅部２３はこの放送信号生成を増幅する。一方、制御部２５は、放送波検出装置１０からの出力に基づいて、アナログ放送波とデジタル放送波のいずれもない空きチャンネルを特定し、当該特定した空きチャンネルの周波数を変調部２４に出力する。そして、変調部２４は、増幅部２３にて増幅された放送信号を、制御部２５から出力された空きチャンネルの周波数で変調して送信アンテナ３に出力する。この結果、空きチャンネルの周波数でデジタル放送波が送信される。以降、入力部２１が放送の終了指示を受け付けるまで放送が継続され、入力部２１が放送の終了指示を受け付けた時点で放送波送信処理を終了する。
【００５１】
（効果）
このように本実施の形態によれば、一部の複数のセグメントの各々のレベルと、これらレベルの相互の差異に基づいて、検出対象のチャンネルにおけるアナログ放送波の有無を判定するので、レベルのみに基づいてアナログ放送波の有無が判定でき、復調やシンボル検出を行うことが必須ではなくなるので、アナログ放送波の有無を従来よりも短時間で検出することが可能になる。特に、複数の周波数帯により放送信号を分割した場合には、レベルの低下部分を含む放送信号と、このようなレベルの低下部分を含まない放送信号とに分割される可能性があるのに対して、セグメント毎のレベルに基づいて判定を行なうことで、レベルの低下部分を各放送信号から排除することができ、あるいはレベルの低下部分を各放送信号に均等に含めることができるので、一層正確な判定を行なうことが可能になる。
【００５２】
また、ワンセグ放送用の所定のセグメントのレベルと、アナログ放送の搬送波に対応するセグメントのレベルとの中で、少なくとも一つが所定レベル以上であり、かつ、これらの相互の差異が所定範囲内にある場合には、検出対象のチャンネルにデジタル放送波のみがあるものと判定するので、復調を行なうことなく、アナログ放送波の有無を迅速に判定することが可能になる。
【００５３】
また、ワンセグ放送用の所定のセグメントのレベルと、アナログ放送の搬送波に対応するセグメントのレベルとの中で、少なくとも一つが所定レベル以上であり、かつ、これらの相互の差異が所定範囲内にない場合には、検出対象のチャンネルに少なくともアナログ放送波又はアナログ妨害波があると判定するので、復調を行なうことなく、アナログ放送波又はアナログ妨害波の有無を迅速に判定することが可能になる。
【００５４】
また、ワンセグ放送用の所定のセグメントのレベルが所定範囲以上である場合には、検出対象のチャンネルにデジタル放送波とアナログ妨害波があると判定し、ワンセグ放送用の所定のセグメントのレベルが所定範囲以上でない場合には、検出対象のチャンネルにアナログ放送波があると判定するので、復調を行なうことなく、デジタル放送波及びアナログ妨害波が存在する場合とアナログ放送波が存在する場合とを迅速に区別することが可能になる。
【００５５】
また、検出対象のチャンネルにデジタル放送波があると判定した場合には、ワンセグ放送用の所定のセグメントに対する復調結果に基づいて、検出対象のチャンネルのチャンネル番号を特定するので、復調結果に基づいてさらに詳細な判定を行うことができる。
【００５６】
また、アナログ放送の搬送波に対応するセグメントは、アナログ放送の映像搬送波に対応するセグメントと、アナログ放送の音声搬送波に対応するセグメントの中の、少なくとも一方のセグメントであり、このようなセグメントのレベルに基づいてアナログ放送波の有無を判定することで、アナログ放送波の有無を従来よりも短時間で検出することが可能になる。
【００５７】
〔III〕本実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５９】
（抽出するセグメントについて）
上記実施の形態においては、抽出するセグメントとして、ワンセグ放送用のセグメントである０番のセグメントと、アナログ放送の搬送波に対応するセグメントである７番及び１２番のセグメントを抽出しているが、このように抽出するセグメントは変更可能である。例えば、ワンセグ放送用のセグメント以外の他のデジタル放送専用のセグメント（つまり、０番のセグメント以外であり、かつ、７番又は１２番以外のセグメント）を利用しても十分な感度が得られる環境下においては、当該他のデジタル放送専用のセグメントを抽出し、当該抽出したセグメントのレベルを利用して判定を行ってもよい。また、将来的には０番以外のセグメントによるワンセグ放送が自由化される可能性もあるため、このような場合には、ワンセグ放送用のセグメントとして、０番以外の他のワンセグ放送用のセグメントを抽出し、当該抽出したセグメントのレベルを利用して判定を行ってもよい。また、アナログ放送の搬送波に対応するセグメントとしては、７番と１２番の両方のセグメントを利用することで判定精度が向上すると考えられるが、必ずしも７番と１２番の両方のセグメントを利用する必要はなく、いずれか一方のセグメントのみを用い、他のセグメントは省略してもよい。
【００６０】
（応用の可能性について）
また、本発明の放送検出装置としては、複数のセグメントを使用する地上デジタル放送波の放送検出装置に限らず、ワンセグ放送を受信するワンセグチューナ装置にも適用でき、また空きチャンネルを検出して送信する例えば特定のエリアにワンセグ放送を送信するエリアワンセグ用の放送検出装置にも適用できる。
【符号の説明】
【００６１】
１  放送波送信システム
２  受信アンテナ
３  送信アンテナ
１０  放送波検出装置
１１  周波数選択部
１１ａ  ミキサー
１１ｂ  発振器
１１ｃ  １セグＳａｗフィルタ
１２  レベル検出部
１２ａ  ＡＧＣ
１２ｂ  ＡＧＣ検知部
１３  復調部
１４  判定部
１４ａ  保持メモリ
１４ｂ  パターン比較器
１５  表示部
１６、２５  制御部
２０  放送波送信装置
２１  入力部
２２  放送信号生成部
２３  増幅部
２４  変調部
【図１】
2012124846.tif 000003
【図２】
2012124846.tif 000004
【図３】
2012124846.tif 000005
【図４】
2012124846.tif 000006
【図５】
2012124846.tif 000007
【図６】
2012124846.tif 000008